(57)【特許請求の範囲】
【請求項１】
屋内と屋外との間に設けられる面材と、
前記面材の周縁部を収容する収容部を内周側に有し、当該面材を囲む枠体と、
前記枠体の外周側に端部が収容され、見込み方向において前記収容部より屋外側に突出した部位に配置され、屋内への風の進入を防止するための防風シール部材と、
前記枠体の外周側に端部が収容され、見込み方向において前記収容部より屋外側に突出した部位に配置され、屋内への水の浸入を防止するための防水シールと、
を有することを特徴とするカーテンウォールユニット。
【請求項２】
請求項１に記載のカーテンウォールユニットであって、
前記枠体において前記収容部の外周側の面を有する外周部は、前記防風シール部材、及び、前記防水シールが設けられている部位の内周側の面をなす内周壁部より外周側に位置することを特徴とするカーテンウォールユニット。
【請求項３】
請求項１または請求項２に記載のカーテンウォールユニットであって、
前記枠体の前記内周側は、前記収容部を除き前記面材と交差する平面をなしていることを特徴とするカーテンウォールユニット。
【請求項４】
請求項１乃至請求項３のいずれかに記載のカーテンウォールユニットであって、
前記枠体は、前記シール部材より屋外側に突出しており、
前記シール部材より屋外側の部位にて、前記面材の屋外側を移動するゴンドラをガイドすることを特徴とするカーテンウォールユニット。
【請求項５】
請求項１乃至請求項４のいずれかに記載のカーテンウォールユニットを複数用い、
当該カーテンウォールユニットを上下及び左右に配置して形成されることを特徴とするカーテンウォール。
【発明の詳細な説明】
【技術分野】
【０００１】
本発明は、屋内と屋外との間に設けられる面材を有するカーテンウォールユニット及びカーテンウォールに関する。
【背景技術】
【０００２】
屋内と屋外との間に設けられる面材を有するカーテンウォールユニットとしては、例えば、一対の縦枠間に上枠及び下枠を接合してサッシ枠を構成し、このサッシ枠に面材を取り付けたカーテンウォールユニットが知られている。このようなカーテンウォールユニットが、上下や左右に複数隣接され躯体に取り付けられてカーテンウォールが形成される。隣接するカーテンウォールユニット間は、１次シールとしてバックアップ材やシーリング材が充填されるとともに、２次シールとして環状ガスケットが取り付けられている。そして、サッシ枠には、面材の周縁部を収容するための収容部が内周側に設けられ、外周側には環状ガスケットが嵌め込まれる凹部が設けられている。
【特許文献１】特許第２８４３５３１号明細書
【発明の開示】
【発明が解決しようとする課題】
【０００３】
上記従来のカーテンウォールユニットは、サッシ枠の内周側にガラスの収容部が、また、外周側に環状ガスケットが嵌め込まれる凹部が設けられているため、サッシ枠の幅が広くなり、外壁表面の見付け方向及び上下方向に幅広くサッシ枠が現れ、カーテンウォールユニットが形成する外壁（カーテンウォール）の見映えが悪くなる畏れがあるという課題があった。
【０００４】
本発明は、かかる課題に鑑みてなされたものであり、その目的とするところは、枠体の幅が狭く見映えの良い外壁を形成可能なカーテンウォールユニット及びカーテンウォールを提供することにある。
【課題を解決するための手段】
【０００５】
かかる目的を達成するために本発明のカーテンウォールユニットは、屋内と屋外との間に設けられる面材と、前記面材の周縁部を収容する収容部を内周側に有し、当該面材を囲む枠体と、前記枠体の外周側に端部が収容され、見込み方向において前記収容部より屋外側に突出した部位に配置され、屋内への風の進入を防止するための防風シール部材と、前記枠体の外周側に端部が収容され、見込み方向において前記収容部より屋外側に突出した部位に配置され、屋内への水の浸入を防止するための防水シールと、を有することを特徴とするカーテンウォールユニットである。
【０００６】
このようなカーテンウォールユニットによれば、面材を囲む枠体の内周側に設けられ、面材の周縁部を収容する収容部と、枠体の外周側に設けられシール部材の端部が収容される部位とは、見込み方向において異なる位置に配置されるので、面材用の収容部とシール部材の端部が収容される部位とを見込み方向に並べて配置させることが可能である。このため、面材用の収容部とシール部材の端部が収容される部位とが見付け方向に並べて配置される場合より枠体の見付け方向の幅を狭くすることが可能である。よって、カーテンウォールとして建物の躯体等に並べて取り付けられた際には、外壁として現れる枠体の部分が少ないので見映えの良い外壁を構成することが可能なカーテンウォールユニットを提供することが可能である。
【０００７】
また、シール部材が収容部に収容された面材より屋外側に配置されているので、シール部材が面材より屋内側に配置される場合と比較して、面材より屋内側に枠体が突出しない。このため、屋内側の空間をより有効に使用することが可能である。
また、外周部が防風シール部材と防水シールとにて囲まれたカーテンウォールユニットは、隣接させて躯体に取り付けられた際に、隣接するカーテンウォールユニット間の間隙を防風シール部材と防水シールとで閉塞することが可能である。
かかるカーテンウォールユニットであって、前記枠体において前記収容部の外周側の面を有する外周部は、前記防風シール部材、及び、前記防水シールが設けられている部位の内周側の面をなす内周壁部より外周側に位置することが望ましい。
【０００８】
かかるカーテンウォールユニットであって、前記枠体の前記内周側は、前記収容部を除き前記面材と交差する平面をなしていることが望ましい。  
このようなカーテンウォールユニットによれば、面材が収容された枠体の内周側は、面材と交差する平面のみなので、見付け方向に凹凸がないため枠体の見付け方向の幅が狭く、枠体が目立たない見映えの良い外壁を形成可能である。また、面材がガラスの場合には屋内側から見える枠体の内周側が平面なので、屋外側及び屋内側のいずれの側からも美観の優れた外壁を形成可能である。
【００１０】
かかるカーテンウォールユニットであって、前記枠体は、前記シール部材より屋外側に突出しており、前記シール部材より屋外側の部位にて、前記面材の屋外側を移動するゴンドラをガイドすることが望ましい。  
このようなカーテンウォールユニットによれば、外壁として枠体が目立ちにくい構成としつつもゴンドラをガイドする部位を備えることが可能である。
【００１１】
また、カーテンウォールユニットを複数用い、当該カーテンウォールユニットを上下及び左右に配置して形成されることを特徴とするカーテンウォールである。  
このようなカーテンウォールによれば、カーテンウォールを構成する複数のカーテンウォールユニットがそれぞれ、枠体が目立たず見映えが良いカーテンウォールユニットなので、カーテンウォール全体の外壁も見映えが良く、美観の優れた外壁を形成することが可能である。
【発明の効果】
【００１２】
本発明によれば、枠体の幅が狭く見映えの良い外壁を形成可能なカーテンウォールユニット及びカーテンウォールを提供することにある。
【発明を実施するための最良の形態】
【００１３】
以下、本発明の一実施形態に係るカーテンウォールユニット及びカーテンウォールについて図面を参照して説明する。
【００１４】
実施形態の一例として、工場等にて枠体及び面材等がユニット化され、上下方向及び左右方向に隣接させて建築物の構造材に複数取り付けられてカーテンウォール１を構成するカーテンウォールユニット１０について説明する。
【００１５】
以下の説明では、カーテンウォールユニット１０を屋外側から見たときに上下となる方向を上下方向、左右となる方向を左右方向または見付け方向、屋内外方向である奥行き方向を見込み方向として示す。
【００１６】
本実施形態のカーテンウォールユニット１０は、図１、図２に示すように、例えばビル等の上下の階床間を覆う外壁材として用いられ、上階の床を支持する構造材としてのスラブ４等に固定されて吊り下げられ、図３及び図５に示すように、下端部は、当該カーテンウォールユニット１０の下に設けられるカーテンウォールユニット１０の上端部に係合されている。このため、カーテンウォールユニット１０の上部と下部とには、互いに係合するジョイント部材が設けられている。
【００１７】
カーテンウォールユニット１０は、面材としての複層ガラス２０と、複層ガラス２０の周縁部を収容する収容部を内周側に有し当該複層ガラス２０を囲む上枠３２、下枠３４、左縦枠３６、右縦枠３８を有する枠体３０と、左縦枠３６と右縦枠３８との間に架け渡された中間枠４０と、中間枠４０に設けられたブラインド４４と、上述したジョイント部材としての上ジョイント２６及び下ジョイント２７と、床材２の下側に設けられるスラブ４及び梁６が収容される床下の空間の屋外側を覆う耐火ボード２８と、を有している。
【００１８】
複層ガラス２０は、図４に示すように中間枠４０にて上下に分けられているので、以下では中間枠４０より上側を上複層ガラス２２、中間枠４０より下側を下複層ガラス２４という。上複層ガラス２２と下複層ガラス２４とは、サイズは異なるが構造は同じである。上複層ガラス２２と下複層ガラス２４は、２枚のガラス２０ａがそれらの周縁部にスペーサが介在されて対面された状態にて一体に構成されている。
【００１９】
枠体３０を構成する上枠３２、下枠３４、左縦枠３６、右縦枠３８及び中間枠４０は、いずれもアルミニウム製の押出成形部材である。上枠３２、下枠３４、左縦枠３６、右縦枠３８は、矩形状に接合され、左縦枠３６と右縦枠３８との間に中間枠４０が架け渡されている。上枠３２の内側には上複層ガラス２２の周縁部の上側の部位がシール材を介して押縁３３が嵌合されて固定され、下枠３４の内側には下複層ガラス２４の周縁部の下側の部位がシール材を介して押縁３５が嵌合されて固定されている。中間枠４０には屋外側から押縁４５がねじ止めされており、押縁４５により中間枠４０の上側に上複層ガラス２２の周縁部の下側の部位が、また、中間枠４０の下側に下複層ガラス２４の周縁部の上側の部位がそれぞれシール材を介して保持されている。ここでは、上枠３２と押縁３３とにて形成され、複層ガラス２０の周縁部が収容される部位が上枠３２の収容部３２ａ、下枠３４と押縁３５とにて形成され、複層ガラス２０の周縁部が収容される部位が下枠３４の収容部３４ａ、中間枠４０と押縁４５とにて形成され、複層ガラス２０の周縁部が収容される部位が中間枠４０の収容部４０ａの一例をそれぞれ示している。
【００２０】
上枠３２には、屋内側に耐火ボード２８を複層ガラス２０と間隔を隔てて取り付けるための上ボード取付部材４６が固定されており、上ボード取付部材４６の屋内側に固定板４３がねじ止めされて挿入部４６ａが形成されている。また、上枠３２の上面側、すなわち枠体３０として接合された際には外周部となる側に、防水シール６０の端部が挿入される防水シール収容部３２ｂと防風シール６２の端部が挿入される防風シール収容部３２ｃと上ジョイント２６の下部が収容される上ジョイント収容部３２ｄが、見込み方向に間隔を隔てて設けられている。
【００２１】
下枠３４には、屋内側の床材２との間を塞ぐための窓台４７を固定するための窓台固定部３４ｅが屋内側に設けられている。また、下枠３４の下面側、すなわち枠体３０として接合された際には外周部となる側に、防水シール６０の端部が挿入される防水シール収容部３４ｂと防風シール６２の端部が挿入される防風シール収容部３４ｃと下ジョイント２７の上部が収容される下ジョイント収容部３４ｄが、見込み方向に間隔を隔てて設けられている。
【００２２】
中間枠４０の屋内側であって上端側には、耐火ボード２８を複層ガラス２０と間隔を隔てて屋内側に取り付けるための下ボード取付部材４８が固定されており、下ボード取付部材４８の屋内側に固定板４３がねじ止めされて挿入部４８ａが形成されている。そして、耐火ボード２８は、上端部が上枠３２側の挿入部4６ａに挿入され、下端部が中間枠４０側の止入部４８ａに挿入されて耐火ボード２８が取り付けられている。
【００２３】
また、中間枠４０の屋内側であって下端側には、ブラインド４４を吊り下げるためのブラインド取付部材５０とブラインド４４が引き上げられた状態で天井より上方に収容されたブラインド４４を収容するためのブラインドボックス５２が固定されている。
【００２４】
図６は、左右に隣接する２枚のカーテンウォールユニットの接合部の水平断面、具体的には図１におけるＢ−Ｂ断面を示している。図７は、図１におけるＣ−Ｃ断面を示している。左縦枠３６と右縦枠３８とは、図示するように左右が反転した対象形状をなしている。このため、ここでは左縦枠３６を例に取り説明するが、図中において左縦枠３６の各部位と対応する右縦枠３８の部位には、「３８」に左縦枠３６側の部位と同じ添え字を付して示す。
【００２５】
左縦枠３６は、見込み方向における最も屋内側に、上下方向に連通する中空縁部３６ａを有し、中空縁部３６ａを構成する屋外側の壁部３６ｂと屋外側に間隔を隔てて設けられた収容壁部３６ｃと、見込み方向における最も屋内側に設けられ複層ガラス２０の面と平行な面を形成する外側壁部３６ｄと、を有している。中空縁部３６ａと収容壁部３６ｃとは左端側、すなわちカーテンウォールユニット１０の外周側が見込み方向に沿った面を有する外周部３６ｅにて繋がっており、中空縁部３６ａと収容壁部３６ｃとの間は、カーテンウォールユニット１０の見付け方向中央側に開放されて複層ガラス２０の左周端部が収容される収容部３６ｆが形成されている。
【００２６】
収容壁部３６ｃと外側壁部３６ｄとは、右端側が中空縁部３６ａの右端と見込み方向において直線上に位置するような平面を有する内側壁部３６ｇにて繋がっており、カーテンウォールユニット１０の外周側に開放された凹部３６ｈが形成されている。凹部３６ｈには、中空縁部３６ａの屋外側の壁部３６ｂと外側壁部３６ｄの間に見込み方向に互いに間隔を隔てて防水シール収容部３６ｉと防風シール収容部３６ｊとが設けられている。また、左縦枠３６と右縦枠３８とには、中間枠４０より上方側の中空縁部３６ａに、図７に示すような、耐火ボード２８を保持するための側部保持部材４９が固定されている。
【００２７】
図８、図９に示すように、左縦枠３６は、中空縁部３６ａの上端を上枠３２にて、中空縁部３６ａの下端を下枠３４にてそれぞれ塞ぐように、上枠３２及び下枠３４と接合される。そして、左縦枠３６と右縦枠３８とが、上枠３２及び下枠３４等と接合されてカーテンウォールユニット１０を構成している状態では、左縦枠３６と右縦枠３８とにそれぞれ設けられた収容部３６ｆ、３８ｆが対向するとともに上枠３２、下枠３４、及び中間枠４０に設けられた収容部３２ａ、３４ａ、４０ａと繋がって上下の複層ガラス２２、２４の周縁部を全周に亘って収容している。そして、枠体３０の内周側は、図示した左縦枠３６と右縦枠３８のように収容部３６ｆ、３８ｆを除き複層ガラス２０とほぼ直交する平面をなしている。
【００２８】
また、カーテンウォールユニット１０の外周側に設けられた防水シール収容部３２ｂ、３４ｂ、３６ｉ、３８ｉと防風シール収容部３２ｃ、３４ｃ、３６ｊ、３８ｊとは、複層ガラス２０の収容部３２ａ、３４ａ、３６ｆ、３８ｆより屋外側にて見込み方向において異なる位置に配置されているとともに全周に亘って繋がっており、防水シール収容部３２ｂ、３４ｂ、３６ｉ、３８ｉには防水シール６０の端部が、また、防風シール収容部３２ｃ、３４ｃ、３６ｊ、３８ｊには防風シール６２の端部が、それぞれ全周に亘って収容されている。
【００２９】
そして、複数のカーテンウォールユニット１０が隣接されて配置されたカーテンウォール１は、隣接するカーテンウォールユニット１０の防水シール６０同士及び防風シール６２同士がそれぞれ当接される。このとき、防水シール６０は先端側が２枚のフィン状をなしているので、隣接する防水シール６０同士は、各々の面が当接されており、防風シール６２は、先端がループ状をなしているので、隣接する防風シール６２同士は、互いに見付け方向に押し潰すようにループ状の部位が当接されている。また、隣接するカーテンウォールユニット１０の外側壁部３６ｄ、３８ｄは、見付け方向に間隔を隔てて配置され、屋外側に突出された内部に設けられている防水シール６０までの縦枠内空間６４と連通している。縦枠内空間６４は、カーテンウォールユニット１０にて形成された外壁面の屋外側を移動する、例えば清掃等に用いられるゴンドラの車輪７０を案内するためのガイドとして使用される。
【００３０】
本実施形態のカーテンウォールユニット１０によれば、複層ガラス２０を囲む枠体３０のうち、左縦枠３６及び右縦枠３８に設けられ、複層ガラス２０の周縁部を収容する収容部３６ｆ、３８ｆと、左縦枠３６及び右縦枠３８の外周側に設けられた防水シール収容部３６ｉ、３８ｉ及び防風シール収容部３６ｊ、３８ｊとは、見込み方向において異なる位置に配置させたので、複層ガラス２０用の収容部３６ｆ、３８ｆと防水シール収容部３６ｉ、３８ｉ及び防風シール収容部３６ｊ、３８ｊとを見込み方向に並べて配置させることが可能である。このため、複層ガラス２０用の収容部３６ｆ、３８ｆと防水シール収容部３６ｉ、３８ｉ及び防風シール収容部３６ｊ、３８ｊとが見付け方向に並べて配置される場合より枠体３０の見付け方向の幅を狭くすることが可能である。よって、カーテンウォールユニット１０として建物の躯体等に並べて取り付けられたカーテンウォール１は、外壁として現れる枠体３０の領域が少ないので、より広い領域にて採光が可能であり、かつ、見映えの良い美観の優れた外壁を構成することが可能なカーテンウォールユニット１０を提供することが可能である。
【００３１】
また、複層ガラス２０が収容された枠体３０の内周側となる内側壁部３６ｇ、３８ｇは、見込み方向に沿った平面なので、見付け方向の凹凸がないため枠体３０の見付け方向の幅が狭く、枠体３０が目立たない見映えの良いカーテンウォール１を形成可能である。特に屋内側から見える枠体３０の内側壁部３６ｇ、３８ｇが平面なので、屋外側及び屋内側のいずれの側からも美観の優れたカーテンウォール１を形成可能である。
【００３２】
そして、カーテンウォール１を構成する複数のカーテンウォールユニット１０がそれぞれ、枠体３０が目立たず見映えが良いので、カーテンウォール１全体の外壁も見映えが良く、美観の優れた外壁を形成することが可能である。
【００３３】
また、防水シール６０及び防風シール６２を複層ガラス２０より屋外側に配置させたので、防水シール６０及び防風シール６２が複層ガラス２０より屋内側に配置される場合より、複層ガラス２０より屋内側に突出する枠体３０の突出量を小さくすることが可能である。このため、屋内側の空間をより有効に使用することが可能である。
【００３４】
また、枠体３０を、防水シール６０より屋外側に突出させて形成された縦枠内空間６４を、外壁に沿って移動するゴンドラの車輪７０のガイドとしたので、外壁として枠体３０が目立ちにくい構成としつつもゴンドラのガイドを備えることが可能である。
【００３５】
また、左右の縦枠３６、３８の中空縁部３６ａ、３８ａの上下の端部を上枠３２、下枠３４により塞いで接合したので、中空縁部３６ａ、３８ａ内に雨水等が入り込むことを防止することが可能である。
【００３６】
上記実施形態においては、左右の縦枠３６、３８のみ、収容部３６ｆ、３８ｆと防水シール収容部３６ｉ、３８ｉ及び防風シール収容部３６ｊ、３８ｊとを見込み方向に並べて配置させた例について説明したが、上枠、下枠についても、収容部と防水シール収容部及び防風シール収容部とを見込み方向に並べて配置させてもよい。
【００３７】
上記実施形態においては、屋内側ガラスを複層のガラスとしたが、これに限るものではない。さらに、面材としてガラスを用いた例について説明したが、ガラスに限らず、ガラス以外の外壁材であっても構わない。
【００３８】
また、上記実施形態においては、枠体を面材より屋内側に突出させて、突出した部位に防水シール及び防風シールを設けた例について説明したが、屋内側に突出させても、少なくとも外壁面に露出する枠体の領域を小さくして美観の優れた外壁を形成することが可能であるという効果は奏する。
【００３９】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４０】
【図１】第１実施形態に係るカーテンウォールユニットが建物に取り付けられて構成されているカーテンウォールを屋外側から見た外観図である。
【図２】図１におけるＡ−Ａ断面図である。
【図３】本実施形態に係るカーテンウォールユニットの上枠側の構成を説明するための縦断面図である。
【図４】本実施形態に係るカーテンウォールユニットの中間枠部分の構成を説明するための縦断面図である。
【図５】本実施形態に係るカーテンウォールユニットの下枠側の構成を説明するための縦断面図である。
【図６】図１におけるＢ−Ｂ断面図である。
【図７】図１におけるＣ−Ｃ断面図である。
【図８】縦枠と下枠との接合部を説明するための斜視図である。
【図９】縦枠と上枠との接合部を説明するための斜視図である。
【符号の説明】
【００４１】
１  カーテンウォール、１０  カーテンウォールユニット、
２０  複層ガラス、３０  枠体、
３２  上枠、３２ａ  収容部、３２ｂ  防水シール収容部、
３２ｃ  防風シール収容部、３４  下枠、３４ａ  収容部、
３４ｂ  防水シール収容部、３４ｃ  防風シール収容部、
３６  左縦枠、３６ｆ  収容部、３６ｉ  防水シール収容部、
３６ｊ  防風シール収容部、３８  右縦枠、３８ｆ  収容部、
３８ｉ  防水シール収容部、３８ｊ  防風シール収容部、
６０  防水シール、６２  防風シール、６４  縦枠内空間
【図１】
0004907496.tif 000002
【図２】
0004907496.tif 000003
【図３】
0004907496.tif 000004
【図４】
0004907496.tif 000005
【図５】
0004907496.tif 000006
【図６】
0004907496.tif 000007
【図７】
0004907496.tif 000008
【図８】
0004907496.tif 000009
【図９】
0004907496.tif 000010